(57)【要約】【課題】  本発明は、電線を傷つけることなく、電線に取り付けられた難着雪リングを除去できる難着雪リング除去装置を提供することを課題とする。【解決手段】  本発明は、電線Ｃの断面形状に対応した電線配置領域の外側に配置されるカッター２０であって、電線Ｃに取り付けられた難着雪リングＲに対して外側から所定の深さの切り込みＫを電線Ｃの中心軸方向に沿って形成可能なカッター２０と、カッター２０の刃先に先端部を対応させ、前記電線配置領域の中心線の延びる方向でカッター２０に並設された尖端部２１とを含むリング分割装置２を備えることを特徴とする。【選択図】図１
2017073847.tif 000002
【特許請求の範囲】
【請求項１】
電線の断面形状に対応した電線配置領域の外側に配置されるカッターであって、電線に取り付けられた難着雪リングに対して外側から所定の深さの切り込みを電線の中心軸方向に沿って形成可能なカッターと、
カッターの刃先に先端部を対応させ、前記電線配置領域の中心線の延びる方向でカッターに並設された尖端部とを含むリング分割装置を備えることを特徴とする
難着雪リング除去装置。
【請求項２】
前記リング分割装置は、カッターを電動駆動する駆動部を備える
請求項１に記載の難着雪リング除去装置。
【請求項３】
前記カッターは、前記電線配置領域の中心軸に対して直交する軸周りに回転可能な丸鋸刃であり、
前記駆動部は、該丸鋸刃を回転させるように構成される
請求項１又は請求項２に記載の難着雪リング除去装置。
【請求項４】
前記リング分割装置は、前記カッター及び前記尖端部を支持する支持部を備え、
該支持部は、前記カッター及び前記尖端部の配置を電線の径方向に沿って変更可能に構成される
請求項１乃至請求項３の何れか１項に記載の難着雪リング除去装置。
【請求項５】
前記リング分割装置に連結される移送装置であって、前記カッターを電線に沿うように前記リング分割装置を移送する移送装置を備える
請求項１乃至請求項４の何れか１項に記載の難着雪リング除去装置。
【発明の詳細な説明】
【技術分野】
【０００１】
本発明は、電線に取り付けられている難着雪リングを除去する難着雪リング除去装置に関する。
【背景技術】
【０００２】
従来から、鉄塔等の間に架設される電線の外周面に対して、雪の付着を防止するための難着雪リング（以下、単にリングという）が所定の間隔をおいて複数取り付けられることがある。
【０００３】
かかるリングは、張替工事の対象となる電線を廃棄することを前提として既設の電線の張替工事を行う際に、該電線から除去されることがある。
【０００４】
この場合、例えば、電動駆動で回転させる複数の丸鋸刃であって、外周縁部（刃先）が電線の断面形状に対応した電線配置領域内に配置される複数の丸鋸刃と、該電線配置領域に配置された電線を巻き取るウインチとを備える難着雪リング除去装置が用いられている（例えば、特許文献１参照）。
【０００５】
前記難着雪リング除去装置では、丸鋸刃の外周縁部が電線配置領域内に配置されているため、電線配置領域内に配置した電線を丸鋸刃の外周縁部に当接させながらウインチで巻き取ることができる。そして、電線に取り付けられているリングが電線配置領域を通過すると、該リングが丸鋸刃によって切断される。
【０００６】
このように、前記難着雪リング除去装置は、電線を丸鋸刃の外周縁部（刃先）に当接させつつウインチで巻き取ることによって、該電線に取り付けられているリングを丸鋸刃で切断して除去できるとされている。
【先行技術文献】
【特許文献】
【０００７】
【特許文献１】特許第２７８０７６４号公報
【発明の概要】
【発明が解決しようとする課題】
【０００８】
ところで、昨今において、電線を生かしつつ（電線を廃棄せずに）リングのみを交換することが要望される場合がある。しかしながら、前記難着雪リング除去装置では、リングを確実に切断すべく丸鋸刃の外周縁部を電線配置領域内に配置しているため、電線の被覆部や、被覆部内の素線を丸鋸刃によって傷つけてしまうという問題がある。
【０００９】
そこで、本発明は、電線を傷つけることなく、電線に取り付けられた難着雪リングを除去できる難着雪リング除去装置を提供することを課題とする。
【課題を解決するための手段】
【００１０】
本発明に係る難着雪リング除去装置は、
電線の断面形状に対応した電線配置領域の外側に配置されるカッターであって、電線に取り付けられた難着雪リングに対して外側から所定の深さの切り込みを電線の中心軸方向に沿って形成可能なカッターと、
カッターの刃先に先端部を対応させ、前記電線配置領域の中心線の延びる方向でカッターに並設された尖端部とを含むリング分割装置を備えることを特徴とする。
【００１１】
かかる構成によれば、カッターが前記電線配置領域の外側に配置されるため、電線に取り付けられた難着雪リングには、該カッターによって、外側から所定の深さの切り込みが電線の中心軸方向に沿って形成される。
【００１２】
そして、前記中心軸方向でカッターに並設された尖端部が難着雪リングの切り込み部分と対応した位置を押圧すると、難着雪リングが切り込みを起点にして裂ける。これにより、難着雪リングが分割されて電線から引き剥がされる。
【００１３】
本発明に係る難着雪リング除去装置の一態様として、前記リング分割装置は、カッターを電動駆動する駆動部を備えていていもよい。
【００１４】
かかる構成によれば、カッターを電動で駆動させるため、難着雪リングに対して前記切り込みを容易に且つ短時間で形成できる。
【００１５】
本発明に係る難着雪リング除去装置の他態様として、前記カッターは、前記電線配置領域の中心軸に対して直交する軸周りに回転可能な丸鋸刃であり、前記駆動部は、丸鋸刃を回転させるように構成されることが好ましい。
【００１６】
かかる構成によれば、丸鋸刃であるカッターを前記電線配置領域の中心軸に対して直交する軸周りに回転させて難着雪リングに当接させることができるため、難着雪リングに対して前記切り込みをさらに容易に且つ短時間で形成することができ、これにより、作業性が向上する。
【００１７】
本発明に係る難着雪リング除去装置の別の態様として、前記リング分割装置は、前記カッター及び前記尖端部を支持する支持部を備え、該支持部は、前記カッター及び前記尖端部の配置を電線の径方向に沿って変更可能に構成されることが好ましい。
【００１８】
かかる構成によれば、支持部に支持されたカッター及び尖端部の配置が電線の径方向に沿って変更されることで、種々のサイズの電線に取り付けられた難着雪リングを分割できる。
【００１９】
本発明に係る難着雪リング除去装置のさらに別の態様として、前記リング分割装置に連結される移送装置であって、前記カッターを電線に沿うように前記リング分割装置を移送する移送装置を備えることが好ましい。
【００２０】
かかる構成によれば、リング分割装置が移送装置によって電線に沿って移送される。すなわち、難着雪リングに向かってカッターが移送される。これに伴って、該カッターが、難着雪リングに対して外側から所定の深さの切り込みを電線の中心軸方向に沿って形成する。これに続き、尖端部の先端が難着雪リングの切り込みと対応する部分を押圧する。これにより、難着雪リングが切り込みに沿って裂けて、分割されることになり、電線から引き剥がされる。
【発明の効果】
【００２１】
以上のように、本発明の難着雪リング除去装置によれば、電線を傷つけることなく、電線に取り付けられた難着雪リングを除去できるという優れた効果を奏し得る。
【図面の簡単な説明】
【００２２】
【図１】図１は、本発明の一実施形態に係る難着雪リング除去装置の側面図である。
【図２】図２は、同実施形態に係る難着雪リング除去装置の正面図である。
【図３】図３は、同実施形態に係る難着雪リング除去装置における支持部と、カッターと、尖端部との斜視図である。
【図４】図４（ａ）は、同実施形態に係る難着雪リング除去装置におけるリング分割装置全体の側面図であり、図４（ｂ）は、該リング分割装置における電線の上下に配置されている支持部の側面図である。
【図５】図５（ａ）、図５（ｂ）は、同実施形態に係る難着雪リング除去装置の尖端部をカッターで難着雪リングに形成した切り込みに接近させている状態を説明するための図であり、図５（ａ）は、尖端部及び難着雪リングの平面図であり、図５（ｂ）は、尖端部及び難着雪リングの正面図である。
【図６】図６は、本発明の他実施形態に係る難着雪リング除去装置における尖端部の側面図である。
【発明を実施するための形態】
【００２３】
以下、本発明の一実施形態にかかる難着雪リング除去装置について添付図面を参照して説明する。
【００２４】
本実施形態に係る難着雪リング除去装置は、図１に示すように、電線Ｃの断面形状に対応した電線配置領域の外側に配置された複数のカッター２０であって、電線Ｃに取り付けられた難着雪リング（以下、単にリングという）Ｒに、該リングＲの外側から所定の深さで且つ電線Ｃの中心軸線が延びる方向に沿って切り込みＫを形成可能な複数のカッター２０と（図５（ａ）参照）、該カッター２０の刃先に先端部を対応させ、前記電線配置領域の中心線の延びる方向でカッター２０に並設された尖端部２１とを有するリング分割装置２を備える。
【００２５】
また、本実施形態に係る難着雪リング除去装置１は、前記リング分割装置２に連結されるとともに、電線Ｃに沿ってリング分割装置２を移送する移送装置３を備える。
【００２６】
リング分割装置２は、図２、及び図３に示すように、カッター２０及び尖端部２１を支持する支持部２２を備えている。また、リング分割装置２は、支持部２２に取り付けられた切断用モータ２３であって、カッター２０を電動で駆動させる切断用モータ２３を備えている。なお、リング分割装置２において、カッター２０は、切断用モータ２３を介して支持部２２に支持されている。すなわち、カッター２０は、支持部２２によって間接的に支持されている。
【００２７】
カッター２０は、電線Ｃの中心軸に対して直交する軸周りに電動により回転可能である。より具体的に説明すると、カッター２０は、電線配置領域に配置されている電線Ｃの中心軸が延びる方向（以下、中心軸方向という）、及び電線配置領域に配置されている電線Ｃの径方向（以下、単に径方向という）のそれぞれの方向に対して直交する方向に延びる軸周りに回転可能である。
【００２８】
カッター２０は、円形状であり、外周縁部が全周に亘って尖鋭に形成されている。すなわち、カッター２０では、外周縁部が全周に亘って刃先となっている。本実施形態において、カッター２０は、丸鋸刃である。
【００２９】
カッター２０の刃先（カッター２０の外周縁部）は、前記径方向において、電線Ｃ（電線配置領域）よりも外側に配置されている。すなわち、カッター２０の刃先は、前記径方向において、電線Ｃの外周面との間に間隔を空けて配置されている。
【００３０】
また、カッター２０の刃先は、リングＲの厚みを超えない範囲で、電線配置領域に配置されている電線Ｃの外周面との間に隙間が形成される位置に配置されている。このようにして、カッター２０は、リングＲに対して、所定の深さ（前記径方向における深さ）の切り込みＫを前記中心軸方向に沿って形成可能な位置に配置されている
【００３１】
尖端部２１は、図３に示すように、前記中心軸方向において支持部２２から延出している。また、尖端部２１は、前記中心軸方向においてカッター２０と支持部２２との間に配置されている。そのため、尖端部２１は、支持部２２からカッター２０に向けて延出している。
【００３２】
尖端部２１は、支持部２２から延びるとともに、先端側になるにつれて互いに接近するように傾斜する一対の傾斜面２１０を有する。また、各傾斜面２１０は、尖端部２１の先端で互いに交わっている。そのため、尖端部２１の先端は、尖っており、尖端部２１の幅（前記中心軸方向及び前記径方向のそれぞれに直交する方向における幅）は、先端から基端側になるにつれて徐々に広くなっている。
【００３３】
尖端部２１は、前記径方向において、電線配置領域に配置されている電線Ｃの外周面との間に隙間が形成されるように配置されている。尖端部２１の先端と電線Ｃの外周面との間隔は、カッター２０の刃先（外周縁）と電線Ｃの外周面との間隔と同一又は略同一である。
【００３４】
そのため、リング分割装置２は、カッター２０を先頭にした状態で電線Ｃに沿って移送されると、カッター２０の刃先がリングＲに切り込みＫを形成し、さらに、尖端部２１の傾斜面２１０が該切り込みＫ内に入り込んでリングＲを押圧（押し広げる）ように構成されている。
【００３５】
支持部２２は、図２に示すように、電線配置領域に配置されている電線Ｃの中心軸を中心とする周方向（以下、単に周方向という）において間隔を空けて複数（本実施形態では、四つ）配置されている。支持部２２は、隣り合う支持部２２に対して連結可能に構成されている。
【００３６】
支持部２２は、前記中心軸方向を中心とする周方向に沿って広がる湾曲面２２０を有する。また、支持部２２は、各支持部２２を電線Ｃの周りに配置したときに、各支持部２２の湾曲面２２０が該電線Ｃの外周面に対向するように構成されている。そして、支持部２２の湾曲面２２０は、前記径方向において、カッター２０の刃先、及び尖端部２１の先端よりも電線Ｃに近い位置に配置されている。
【００３７】
このように、支持部２２では、支持部２２の湾曲面２２０に取り囲まれる領域内に電線Ｃが配置されるように構成されている。そのため、本実施形態において、電線配置領域とは、各支持部２２の湾曲面２２０によって囲まれる領域のことである。
【００３８】
さらに、本実施形態に係る支持部２２には、各支持部２２に対して、カッター２０と、尖端部２１と、切断用モータ２３とが一つずつ設けられている。
【００３９】
移送装置３は、図１に示すように、電線Ｃに沿って移動可能に構成される移送機構３０を有する。また、移送装置３は、カッター２０を電動駆動させるための電力、及び該移送機構３０を電動駆動させる電力を供給するための電力供給部３１と、リング分割装置２、移送機構３０及び電力供給部３１を制御する制御部３２とを有する。さらに、移送装置３は、移送機構３０と，電力供給部３１と、制御部３２とが配置されるフレーム３３とを有する。
【００４０】
移送機構３０は、電線Ｃの上部に掛けられるように構成されるとともに、フレーム３３を前記中心軸方向に沿って移動可能とするように構成されている。より具体的に説明する。移送機構３０は、フレーム３３の上部側に対して回転可能に取り付けられ且つ電線Ｃの長手方向に沿って配置された一対の車輪３００と、該一対の車輪３００を駆動するための移送用モータ３０１とを備えている。
【００４１】
一対の車輪３００は、フレーム３３に取り付けられている車輪用フレーム３０２によって回転可能に支持されている車軸３０３を有する。また、各車軸３０３には、一対の車輪３００と一体的に回転するスプロケット３０４が固着されている。そのため、移送機構３０は、一対の車輪３００を電線Ｃの上部に掛けられると、電線Ｃの前記中心軸方向に沿って移動可能な状態になる。
【００４２】
移送用モータ３０１の出力軸には、スプロケット３０５が取り付けられている。そして、移送用モータ３０１のスプロケット３０５と一対の車輪３００のスプロケット３０４とには、無端チェーン３０６が巻回されている。このように、移送機構３０は、移送用モータ３０１の駆動力によって、一対の車輪３００を駆動させることができるように構成されている。
【００４３】
また、移送用モータ３０１は、各車輪３００よりも下方側であり且つ各車輪３００間の中央部に対応する位置に配置されている。
【００４４】
電力供給部３１は、移送用モータ３０１に電力を供給する電力供給部３１としてのバッテリー３１０と、該バッテリー３１０からの電力と制御部３２から発信した制御信号とをリング分割装置２に送るためのケーブル３１１とを有する。
【００４５】
バッテリー３１０は、フレーム３３の下部側（本実施形態では、フレーム３３の下部側であり、移送機構３０の下方に対応する位置）に配置されている。
【００４６】
ケーブル３１１は、リング分割装置２（切断用モータ２３）に対してバッテリー３１０と制御部３２とを接続している。また、ケーブル３１１は、移送用モータ３０１に対してバッテリー３１０と制御部３２とを接続している。すなわち、ケーブル３１１は、バッテリー３１０の電力や、制御部３２から発信した制御信号を送るための配線系を構成している。
【００４７】
制御部３２は、前記切断用モータ２３、移送用モータ３０１、及びバッテリー３１０を制御するための制御盤３２０を有する。なお、制御盤３２０は、リング分割装置２及び移送装置３を無線によって遠隔操作できるようにプログラムされていてもよい。
【００４８】
制御盤３２０は、フレーム３３の下部側（本実施形態では、フレーム３３の下部側であり、且つ移送機構３０の下方に対応する位置）に配置されている。
【００４９】
そのため、移送装置３では、一対の車輪３００が電線Ｃの上部に掛けられると、電力供給部３１のバッテリー３１０と、制御部３２の制御盤３２０とが電線Ｃを介して該一対の車輪３００の下方に配置される。従って、移送装置３では、重心を低くすることによって（車輪３００を掛ける電線Ｃよりも下方側に重心を設定することによって）、各車輪３００が電線Ｃの上部から外れ難くすることができるため、安定した走行が可能になる。
【００５０】
本実施形態に係る難着雪リング除去装置１は、リング分割装置２と移送装置３とを連結する連結装置４をさらに備える。
【００５１】
連結装置４は、移送装置３に連結される連結体４０と、該連結体４０とリング分割装置２とを接続する接続体４１と、該接続体４１と連結体４０との連結位置に取り付けられる従動輪４２とを備えている。
【００５２】
連結体４０は、移送装置３の一対の車輪３００のうちのリング分割装置２側に位置する車輪３００（移送側に位置する車輪３００）に連結されている。
【００５３】
接続体４１と、連結体４０とは、互いに回転可能に連結されている。また、連結装置４では、前記径方向において並ぶ支持部２２のそれぞれに対して、個別の接続体４１が取り付けられている。すなわち、連結装置４では、移送装置３がリング分割装置２を移送する方向（以下、移送方向という）に対して直交する方向に二つの接続体４１が並んでおり、該二つの接続体４１によって、連結体４０とリング分割装置２とが接続されている。
【００５４】
従動輪４２は、連結体４０と一対の接続体４１とのそれぞれに挿通された支軸４３によって回転可能に軸支されている。従動輪４２は、移送装置３が電線Ｃに沿って移動するに伴って、回転するように構成されている。
【００５５】
本実施形態に係る難着雪リング除去装置１は、該支持体の他端部に吊り下げられた受部材５であって、リング分割装置２の真下（分割されたリングＲを受けることができる位置）に配置された受部材５をさらに備える。
【００５６】
次に、本実施形態に係る難着雪リング除去装置１の使用態様について、添付図面を参照しつつ説明を行う。
【００５７】
まず、作業者は、前記径方向において、カッター２０の刃先を電線Ｃの外周面に向けた状態で支持部２２を電線Ｃの周囲に配置し、さらに、隣り合う支持部２２同士を連結する。
【００５８】
このとき、四つのカッター２０の刃先は、電線Ｃの外側であり、且つリングＲに対して外側から所定の深さの切り込みＫを形成できる位置に配置されている。また、尖端部２１の先端は、前記中心軸方向において、カッター２０の刃先に対応した位置に配置されている。
【００５９】
つぎに、作業者は、移送装置３の一対の車輪３００を電線Ｃに載せて（電線Ｃの上部に掛けて）、一対の車輪３００のうちのリング分割装置２側の車輪３００の車軸３０３と従動輪４２の車軸３０３とを連結体４０で連結するとともに、従動輪４２の車軸３０３とリング分割装置２の二つの支持部２２とを接続体４１で連結し、リング分割装置２（支持部２２）の下方側（リング分割装置２の下方）に受部材５を吊り下げる。このとき、移送装置３は、前記移送方向におけるリング分割装置２の後方に配置されている。
【００６０】
つぎに、作業者は、ケーブル３１１によって、バッテリー３１０を切断用モータ２３と、移送用モータ３０１とに接続し、さらに、制御部３２を切断用モータ２３と、移送用モータ３０１と、バッテリー３１０とに接続する。このようにして、除去する対象となるリングＲが取り付けられている電線Ｃに対して難着雪リング除去装置１が設置される。
【００６１】
つぎに、作業者が制御盤３２０を遠隔から操作すると、該制御盤３２０から移送用モータ３０１に駆動信号が出力されて移送用モータ３０１が駆動する。これにより、移送装置３の各車輪３００が駆動する。また、制御盤３２０からは、切断用モータ２３にも駆動信号が出力され、これにより、四つのカッター２０が回転する。従って、移送機構３０（移送装置３）は、各カッター２０を回転させているリング分割装置２を後方から押すことで電線Ｃに沿って移送する。
【００６２】
そして、カッター２０がリングＲに対応する位置に到達すると、該カッター２０がリングＲの外周面に当接する。これにより、カッター２０によって、リングＲの外側から所定深さで且つ電線Ｃに沿って延びる直線状の切り込みＫが形成される。
【００６３】
さらに、リング分割装置２を移送させ続けると、前記移送方向においてカッター２０の後方に配置されている尖端部２１が切り込みＫ内に進入し、図５（ａ）、及び図５（ｂ）に示すように、該尖端部２１によって、リングＲのうちの切り込みＫに対応する部分（リングＲのうちの切り込みＫを画定する端面）が押圧される（押し広げられる）。なお、図５（ｂ）には、便宜上、カッター２０及び切断用モータ２３を図示していない。
【００６４】
これにより、リングＲは、切り込みＫを起点にして裂けて（分割されて）電線Ｃから引き剥がされる。
【００６５】
そして、電線Ｃから引き剥がされたリングＲは、受部材５に落下して回収される。このため、リングＲが地上へ落下することがなく安全である。
【００６６】
以上のように、難着雪リング除去装置１は、電線配置領域の外側に配置したカッター２０によってリングＲに対して所定の深さの切り込みＫを形成し、しかも、該切り込みＫ内に尖端部２１を進入させて各傾斜面２１０でリングＲ（リングＲのうちの切り込みＫを画定する端面）を押し広げることによってリングＲを分割するため、カッター２０が電線Ｃ（電線Ｃの被覆部や、被覆部内の素線）に当たることなく、リングＲが電線Ｃから引き剥がされる。
【００６７】
従って、難着雪リング除去装置１は、電線Ｃを傷つけることなく、電線Ｃに取り付けられたリングＲを除去できるという優れた効果を奏し得る。
【００６８】
また、リング分割装置２は、カッター２０を電動で駆動させるため、容易に且つ短時間でリングＲに切り込みＫを形成できる。本実施形態では、丸鋸刃であるカッター２０を回転させているため、リングＲに対してより容易に且つ短時間で切り込みＫを形成できる。
【００６９】
さらに、リング分割装置２に接続される接続体４１と、移送装置３に連結されている連結体４０とが互いに回転可能に連結されているため、リング分割装置２と、移送装置３とは、前記径方向において相対的に動くことができる。
【００７０】
従って、リング分割装置２と、移送装置３とのそれぞれが電線Ｃの形状や外周面の状態に対応して独立して動くため、リング分割装置２によるリングＲの切断や、移送装置３によるリング分割装置２の移送をより円滑に行うことができる。
【００７１】
なお、本発明の難着雪リング除去装置は、上記一実施形態に限定されるものではなく、本発明の要旨を逸脱しない範囲において種々変更を行うことは勿論である。
【００７２】
上記実施形態において、電線Ｃの周囲に四つのカッター２０を配置したが、リングＲを電線Ｃから引き剥がすに必要とする分だけ配置すればよく、少なくとも三つ以上あればよい。
【００７３】
上記実施形態において、カッター２０として丸鋸刃を使用したが、リングＲに対して軸方向に切り込めるものであればよく、例えば、片刃鋸や、丸刃であってもよい。
【００７４】
上記実施形態において、尖端部２１の先端と電線Ｃの外周面との間隔は、カッター２０の刃先（外周縁）と電線Ｃの外周面との間隔と同一又は略同一であったが、カッター２０の刃先（外周縁）と電線Ｃの外周面との間隔よりも広くてもよい。なお、尖端部２１の先端と電線Ｃの外周面との間隔は、リングＲの厚みを超えない範囲で設定する必要がある。
【００７５】
上記実施形態において、尖端部２１は、リングＲの切り込みＫ内に挿入されていたが、図６に示すように、リングＲの内周面と電線Ｃの外周面との間に挿入されるようにしてもよい。この場合、尖端部２１は、切り込みＫに対応する位置において、リングＲの内周面を前記径方向外方向に押圧する傾斜面２１０を有するようにすればよい。なお、尖端部２１をリングＲの内周面と電線Ｃの外周面との間に挿入する場合、傾斜面２１０は、一つであってもよいし、二つであってもよい。
【００７６】
上記実施形態において、特に言及しなかったが、カッター２０と尖端部２１とは、前記径方向における電線Ｃに対する位置を変更可能に構成されていてもよい。すなわち、支持部２２は、前記径方向におけるカッター２０の位置と、尖端部２１の位置とを変更できるように構成されていてもよい。このようにすれば、種々のサイズの電線Ｃに対するリングＲの除去作業を容易に行うことができる。なお、前記径方向における支持部２２の湾曲面２２０の位置を変更可能にすれば、種々のサイズの電線Ｃに対するリングＲの除去作業をさらに容易に行うことができる。
【００７７】
上記実施形態において、一つの種類の電線Ｃのサイズに対応した支持部２２について説明したが、該支持部２２は、電線Ｃのサイズに応じて複数の種類のものが作製されていてもよい。
【００７８】
上記実施形態において、プログラムにより所要の制御が可能となる制御盤３２０としたが、論理ゲートを有するシーケンス制御であってもよい。また、遠隔から操作できる無線式の制御盤３２０としたが。外部からの信号を有線式に受信するものであってもよい。
【００７９】
上記実施形態において、リング分割装置２と、移送装置３とを連結した難着雪リング除去装置１としたが、難着雪リング除去装置１としてリング分割装置２を単体で流通させてもよい。
【００８０】
上記実施形態において、リング分割装置２は、前記移送方向における後方から移送機構３０によって押されていたが、この構成に限定されない。例えば、リング分割装置２は、前記移送方向における前方から移送機構３０によって引っ張られてもよい。すなわち、リング分割装置２は、カッター２０を先頭にして移動するように構成されていればよい。
【符号の説明】
【００８１】
１…難着雪リング除去装置、２…リング分割装置、３…移送装置、４…連結装置、５…受部材、２０…カッター、２１…尖端部、２２…支持部、２３…切断用モータ、３０…移送機構、３１…電力供給部、３２…制御部、３３…フレーム、４０…連結体、４１…接続体、４２…従動輪、４３…支軸、２１０…傾斜面、２２０…湾曲面、３００…車輪、３０１…移送用モータ、３０２…車輪用フレーム、３０３…車軸、３０４…スプロケット、３０５…スプロケット、３０６…無端チェーン、３１０…バッテリー、３１１…ケーブル、３２０…制御盤、Ｃ…電線、Ｒ…難着雪リング
【図１】
2017073847.tif 000003
【図２】
2017073847.tif 000004
【図３】
2017073847.tif 000005
【図４】
2017073847.tif 000006
【図５】
2017073847.tif 000007
【図６】
2017073847.tif 000008